(57)【特許請求の範囲】
【請求項１】
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有してなり、
前記ボール支持部は、略上方又は上外方に突起する３以上の支持突起からなり、その支持突起は、前記大寸法内部の外周部の上方に、大寸法内部の上方部を取り囲むように位置し、それらの支持突起の上にゴルフボールを支持するものであり、
前記大寸法内部の上部に、前記ボール支持部の内部を経て上方に開放した挿入開口を有すると共に、離脱防止用の内方突部を周方向間隔を隔てた２箇所以上に有し、
前記大寸法内部の下方に、水平方向の内部寸法が前記大寸法内部よりも小さい脚部突出開口を有し、
前記脚体の脚部の少なくとも下部が前記脚部突出開口より突出し、前記水平方向拡大部が前記大寸法内部に収容されて前記内方突部がその水平方向拡大部の上側に位置することにより前記水平方向拡大部の上方離脱が防止された状態で、脚体に取り付けられることを特徴とするゴルフボール支持体。
【請求項２】
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有し、その大寸法内部の下方に、水平方向の内部寸法が前記大寸法内部よりも小さい小寸法内部が連通してなり、
前記ボール支持部は、略上方又は上外方に突起する３以上の支持突起からなり、その支持突起は、前記大寸法内部の外周部の上方に、大寸法内部の上方部を取り囲むように位置し、それらの支持突起の上にゴルフボールを支持するものであり、
前記大寸法内部の上部に、前記ボール支持部の内部を経て上方に開放した挿入開口を有すると共に、離脱防止用の内方突部を周方向間隔を隔てた２箇所以上に有し、
前記小寸法内部の下方に、脚部突出開口を有し、
前記脚体の脚部の少なくとも下部が前記脚部突出開口より突出し、脚部の上部が小寸法内部に収容されると共に、前記水平方向拡大部が前記大寸法内部に収容されて前記内方突部がその水平方向拡大部の上側に位置することにより前記水平方向拡大部の上方離脱が防止された状態で、脚体に取り付けられることを特徴とするゴルフボール支持体。
【請求項３】
少なくとも小寸法内部の外周部が弾性材料からなり、その小寸法内部の外周部に、下端が脚部突出開口に達する１又は複数のスリット部を備え、そのスリット部の水平方向間隙が前記外周部の弾性的な変形により拡大して小寸法内部の水平方向の寸法が拡大し得るものである請求項２記載のゴルフボール支持体。
【請求項４】
少なくとも小寸法内部及び大寸法内部の外周部が弾性材料からなり、上記スリット部の１又は２以上の上端部が、大寸法内部の外周部に達するものであり、そのスリット部の水平方向間隙が前記外周部の一方又は両方の弾性的な変形により拡大して小寸法内部および／または大寸法内部の水平方向の寸法が拡大し得るものである請求項３記載のゴルフボール支持体。
【請求項５】
少なくとも大寸法内部の外周部が弾性材料からなるものである請求項１乃至４の何れかに記載のゴルフボール支持体。
【請求項６】
大寸法内部の外周部に、上方に開放した切込部を１又は２以上有し、その切込部の水平方向間隙が前記外周部の弾性的な変形により拡大して大寸法内部の水平方向の寸法が拡大し得るものである請求項５記載のゴルフボール支持体。
【請求項７】
全体が弾性材料製である請求項１乃至６の何れかに記載のゴルフボール支持体。
【発明の詳細な説明】
【技術分野】
【０００１】
本発明は、脚体に着脱可能に取り付けられるゴルフボール支持体に関する。
【背景技術】
【０００２】
特許文献１には、多数の上方突起が円形に配列され、円形に並んだそれらの先端部上にゴルフボールを支持するボール支持部を備えたゴルフティーが記載されている。この種のゴルフティーは、合成樹脂製であり、全体が一体をなす。また、その形態により、従来の、棒状脚部の上端部が拡径して皿状のボール支持部に形成された単純な形状のゴルフティーに比し、製造コストは高い。そのため、破損した場合、全体を交換する必要があり、比較的費用が嵩む。
【０００３】
一方、特許文献２には、軸状の脚部の上端をゴム製のボール支持部の下部に挿脱交換可能なゴルフティが記載されている。また特許文献３には、軸状の脚部の上端をプラスチック製のボール支持部の下部に挿脱交換可能なゴルフティが記載されている。これらのゴルフティは、ボール支持部を交換して使用することができるが、ゴルフボールを支持して打球すると、脚部からボール支持部が離脱してそのボール支持部を紛失することが生じ易い。
【特許文献１】実開平５−８６３７０号公報
【特許文献２】実用新案出願公告第４０２号公報
【特許文献３】特開２０００−１８９５４９号公報
【発明の開示】
【発明が解決しようとする課題】
【０００４】
本発明は、従来技術に存した上記のような課題に鑑み行われたものであって、その目的とするところは、既存のティー等の脚体に対し容易に着脱可能であると共に、ゴルフボールを支持して打球した場合に脚体からボール支持部が離脱することが防止されるゴルフボール支持体を提供することにある。
【課題を解決するための手段】
【０００５】
(1)  上記目的を達成する本発明のゴルフボール支持体は、
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有してなり、
前記ボール支持部は、略上方又は上外方に突起する３以上の支持突起からなり、その支持突起は、前記大寸法内部の外周部の上方に、大寸法内部の上方部を取り囲むように位置し、それらの支持突起の上にゴルフボールを支持するものであり、
前記大寸法内部の上部に、前記ボール支持部の内部を経て上方に開放した挿入開口を有すると共に、離脱防止用の内方突部を周方向間隔を隔てた２箇所以上に有し、
前記大寸法内部の下方に、水平方向の内部寸法が前記大寸法内部よりも小さい脚部突出開口を有し、
前記脚体の脚部の少なくとも下部が前記脚部突出開口より突出し、前記水平方向拡大部が前記大寸法内部に収容されて前記内方突部がその水平方向拡大部の上側に位置することにより前記水平方向拡大部の上方離脱が防止された状態で、脚体に取り付けられることを特徴とする。
【０００６】
内部が上下に開放したボール支持部の上部から、既存のティー等の脚体の脚部を挿入すると、その脚部が、大寸法内部の上部に有する挿入開口、大寸法内部、及び大寸法内部の下方の脚部突出開口より突出する。それと共に、脚体における脚部の上方に位置する水平方向拡大部は、ボール支持部から挿入開口を挿通し大寸法内部に収容される。この状態において、脚体における水平方向拡大部は大寸法内部に収容保持され、大寸法内部の上部に有する離脱防止用の内方突部が水平方向拡大部の上側に位置して水平方向拡大部の上方離脱が防止された状態で、そのゴルフボール支持体が脚体の上部に取り付けられ、ボール支持部上にゴルフボールを支持し得る状態となる。一方、内方突部による離脱防止を解除すれば、上記と逆にゴルフボール支持体を脚体から取り外すことができる。
【０００７】
また、本発明のゴルフボール支持体は、
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有し、その大寸法内部の下方に、水平方向の内部寸法が前記大寸法内部よりも小さい小寸法内部が連通してなり、
前記ボール支持部は、略上方又は上外方に突起する３以上の支持突起からなり、その支持突起は、前記大寸法内部の外周部の上方に、大寸法内部の上方部を取り囲むように位置し、それらの支持突起の上にゴルフボールを支持するものであり、
前記大寸法内部の上部に、前記ボール支持部の内部を経て上方に開放した挿入開口を有すると共に、離脱防止用の内方突部を周方向間隔を隔てた２箇所以上に有し、
前記小寸法内部の下方に、脚部突出開口を有し、
前記脚体の脚部の少なくとも下部が前記脚部突出開口より突出し、脚部の上部が小寸法内部に収容されると共に、前記水平方向拡大部が前記大寸法内部に収容されて前記内方突部がその水平方向拡大部の上側に位置することにより前記水平方向拡大部の上方離脱が防止された状態で、脚体に取り付けられることを特徴とするものとすることもできる。
【０００８】
内部が上下に開放したボール支持部の上部から、既存のティー等の脚体の脚部を挿入すると、その脚部が、大寸法内部の上部に有する挿入開口、大寸法内部、及び大寸法内部の下方に連通する小寸法内部を挿通し、脚部の下部が小寸法内部下方の脚部突出開口より突出する。それと共に、脚体における脚部の上方に位置する水平方向拡大部は、ボール支持部から挿入開口を挿通し大寸法内部に収容される。この状態において、脚体における脚部の上部及び水平方向拡大部は、それぞれゴルフボール支持体における小寸法内部及び大寸法内部に収容保持され、大寸法内部の上部に有する離脱防止用の内方突部が水平方向拡大部の上側に位置して水平方向拡大部の上方離脱が防止された状態で、そのゴルフボール支持体が脚体の上部に取り付けられ、ボール支持部上にゴルフボールを支持し得る状態となる。一方、内方突部による離脱防止を解除すれば、上記と逆にゴルフボール支持体を脚体から取り外すことができる。
【０００９】
なお、本明細書中の上下位置関係に関する記述は、ゴルフボールの打球のためにゴルフボール支持体を使用する状態、すなわちゴルフボール支持体を脚体に取付けてその脚体の脚部を地面に差し込んで起立させ、ボール支持部にゴルフボールを支持する状態における上下位置関係を基準とする。
【００１０】
(2)  上記ゴルフボール支持体は、ボール支持部が、略上方又は上外方に突起する３以上の支持突起を有してなり、それらの支持突起の上にゴルフボールを支持するものであり、前記支持突起は、大寸法内部の外周部の上方に、大寸法内部の上方部を取り囲むように位置するものとすることができる。
【００１１】
この場合、ゴルフボールは、ティー等の脚体の上部に取り付けられたゴルフボール支持体における大寸法内部の上方部を取り囲むように位置する３以上の支持突起上に支持させることができる。
【００１２】
(3)  上記ゴルフボール支持体は、少なくとも小寸法内部の外周部が弾性材料からなり、その小寸法内部の外周部に、下端が脚部突出開口に達する１又は複数のスリット部を備え、そのスリット部の水平方向間隙が前記外周部の弾性的な変形により拡大して小寸法内部の水平方向の寸法が拡大し得るものとすることができる。
【００１３】
この場合、小寸法内部の外周部に設けられ、下端が脚部突出開口に達するスリット部の水平方向間隙が、小寸法内部の外周部の弾性的な変形により拡大して小寸法内部の水平方向の寸法が拡大し得る。そのため、ティー等の脚体の脚部の水平方向寸法が、非変形時の小寸法内部の水平方向寸法に比し大きい場合でも、それに応じて水平方向寸法が拡大した小寸法内部に脚部の上部が保持され得、ティー等の脚体の脚部の寸法の大小に対応し得る。
【００１４】
また、前記ゴルフボール支持体は、少なくとも小寸法内部及び大寸法内部の外周部が弾性材料からなり、上記スリット部の１又は２以上の上端部が、大寸法内部の外周部に達するものであり、そのスリット部の水平方向間隙が前記外周部の一方又は両方の弾性的な変形により拡大して小寸法内部および／または大寸法内部の水平方向の寸法が拡大し得るものとすることができる。
【００１５】
この場合、小寸法内部の外周部に設けられ、下端が脚部突出開口に達すると共に上端部が大寸法内部の外周部に達するスリット部の水平方向間隙が、小寸法内部及び大寸法内部の外周部の一方又は両方の弾性的な変形により拡大して小寸法内部および／または大寸法内部の水平方向の寸法が拡大し得る。そのため、ティー等の脚体の脚部および／または水平方向拡大部の水平方向寸法が、非変形時の小寸法内部および／または大寸法内部の水平方向寸法に比し大きい場合でも、それに応じて水平方向寸法が拡大した小寸法内部および／または大寸法内部に脚部の上部および／または水平方向拡大部が保持され得、ティー等の脚体の脚部および／または水平方向拡大部の寸法の大小に対応し得る。
【００１６】
(4)  上記ゴルフボール支持体は、少なくとも大寸法内部の外周部が弾性材料からなり、その大寸法内部の外周部に、上方に開放した切込部を１又は２以上有し、その切込部の水平方向間隙が前記外周部の弾性的な変形により拡大して大寸法内部の水平方向の寸法が拡大し得るものとすることができる。
【００１７】
この場合、大寸法内部の外周部に、上方に開放した切込部を１又は２以上有し、その切込部の水平方向間隙が前記外周部の弾性的な変形により拡大して大寸法内部の水平方向の寸法が拡大し得る。そのため、大寸法内部の上部に、水平方向拡大部の挿入開口に対する挿通を阻害し得る内方突部を有するにもかかわらず、水平方向拡大部を挿入開口に挿通する際に大寸法内部が拡開して挿通を容易にし、着脱を容易なものとする。
【００１８】
(5)  上記ゴルフボール支持体は、全体が弾性材料製であるものとすることができる。
【００１９】
この場合、ティー等の脚体に対するゴルフボール支持体の着脱が容易である。
【発明の効果】
【００２０】
本発明のゴルフボール支持体は、ボール支持部の上部から脚体の脚部を挿入して脚部突出開口より突出させると共に、水平方向拡大部を大寸法内部に収容させて内方突部により上方離脱が防止された状態とすることにより、脚体の上部に取り付けてボール支持部上にゴルフボールを支持し得る状態とすることができ、内方突部による離脱防止を解除すれば脚体から取り外すことができるものであり、既存のティー等の脚体に対し容易に着脱可能である。
【発明を実施するための最良の形態】
【００２１】
本発明の実施の形態を、図面を参照しつつ説明する。
図面は何れも本発明のゴルフボール支持体の実施の形態の例に関するものであって、図１は正面図、図２は平面図、図３は右側面図、図４は底面図、図５は、図１におけるＶ−Ｖ端面図、図６は、図２におけるVI−VI端面図、図７は、図１におけるVII−VII端面図である。
【００２２】
このゴルフボール支持体Ｓは、全体がエラストマー製（弾性材料製）であり、一体成形により製造されるものであって、二点鎖線で図示するような既存のゴルフティーＴ（脚体）に着脱可能に取付けることができるものであるが、材料及び取付け対象はこれに限るものではない。
【００２３】
前記ゴルフティーＴは、下端が円錐尖端状に形成された丸棒状の脚部Ｔ１の上端部に、外周部が上方に向かって略漏斗形状に拡径した水平方向拡大部Ｔ２を有し、その水平方向拡大部Ｔ２の上面が皿状のボール支持凹部に形成された木製ティーである。木製に限るものではないが、打球による紛失時の環境保護上、木製が好ましい。
【００２４】
ゴルフボール支持体Ｓは、ボール支持部１０を上端部に有し、そのボール支持部１０の下方に、大寸法内部１２を有し、その大寸法内部１２の下方に、水平方向の内部寸法が前記大寸法内部１２よりも小さい小寸法内部１４が連通してなり、上下方向軸線に対し略回転対称状をなす。大寸法内部１２は、ゴルフティーＴの水平方向拡大部Ｔ２のうち下部よりも上方にほぼ対応し、小寸法内部１４は、脚部Ｔ１の上部からゴルフティーＴの水平方向拡大部Ｔ２のうち下部にわたる部分にほぼ対応する。なお、大寸法内部１２は大径外周部２２により形成され、小寸法内部１４は小径外周部２４により形成されている。大寸法内部１２と小寸法内部１４は略漏斗形状の内部を形成し、大径外周部２２と小径外周部２４は、略漏斗形の外殻状をなす。大寸法内部１２と小寸法内部１４の境界及び大径外周部２２と小径外周部２４の境界は必ずしも明瞭であることを要しない。
【００２５】
ボール支持部１０は、大径外周部２２から略上方に突起する支持突起１０ａを、上下方向軸線を中心として４５度中心角毎の８箇所に有してなり、それらの支持突起１０ａの上にゴルフボールを支持するものである。従って支持突起１０ａは、大寸法内部１２の外周部の上方に、大寸法内部１２の上方部を取り囲むように位置し、内部が上下に開放している。なお、隣り合う支持突起１０ａ同士の間の中心角は、１７０度以下とすることができ、９０度以下であることが好ましい。より好ましくは６０度以下である。
【００２６】
大寸法内部１２の上部には、ボール支持部１０の内部を経て上方に開放した挿入開口１２ａを有すると共に、離脱防止用の内方突部２６を等中心角毎の３箇所に有する。なお、離脱防止用の内方突部２６は上下方向軸線を中心として周方向間隔を隔てた２箇所以上に有することが好ましく、少なくとも内方突部２６又は大径外周部２２の上部は弾性材料からなるものとすることが好ましい。
【００２７】
また大径外周部２２における内方突部２６からずれた３箇所には、上方に開放した上下方向の切込部２８を有する。
【００２８】
小寸法内部１４の下方には、脚部突出開口１４ａを有し、また小寸法内部１４の外周部である小径外周部２４に、下端が脚部突出開口１４ａに達する上下方向のスリット部３０（上下方向であることが好ましい。）を備え、このスリット部３０は、大寸法内部１２の外周部である大径外周部２２の下部に達する。
【００２９】
なお、大径外周部２２の下部に設けられた透孔３２は、金型を用いた一体成形による製造に必要なものである。
【００３０】
ボール支持部１０の上部から、ゴルフティーＴの脚部Ｔ１を挿入すると、その脚部Ｔ１が、大寸法内部１２の上部に有する挿入開口１２ａ、大寸法内部１２、及び大寸法内部１２の下方に連通する小寸法内部１４を挿通し、脚部Ｔ１の下部が小寸法内部１４下方の脚部突出開口１４ａより突出する。それと共に、ゴルフティーＴの水平方向拡大部Ｔ２は、ボール支持部１０から挿入開口１２ａを挿通し大寸法内部１２に収容される。この状態において、ゴルフティーＴにおける脚部Ｔ１の上部及び水平方向拡大部Ｔ２は、それぞれゴルフボール支持体Ｓにおける小寸法内部１４及び大寸法内部１２に収容保持され、大寸法内部１２の上部に有する離脱防止用の内方突部２６が水平方向拡大部Ｔ２の上面の上側に位置して水平方向拡大部Ｔ２の上方離脱が防止された状態となる。
【００３１】
このようにして、ゴルフボール支持体Ｓが脚体の上部に取り付けられ、ボール支持部１０において大寸法内部１２の上方部を取り囲むように位置する支持突起１０ａ上にゴルフボールを支持し得る状態となる。一方、内方突部２６による離脱防止を解除すれば、上記と逆にゴルフボール支持体Ｓを脚体から取り外すことができる。
【００３２】
大径外周部２２の３箇所に、上方に開放した切込部２８を有し、その切込部２８の水平方向間隙が大径外周部２２の弾性的な変形により拡大して大寸法内部１２の水平方向の寸法が拡大し得るため、大寸法内部１２の上部に、水平方向拡大部Ｔ２の挿入開口１２ａに対する挿通を阻害し得る内方突部２６を有するにもかかわらず、水平方向拡大部Ｔ２を挿入開口１２ａに挿通する際に大寸法内部１２が拡開して挿通を容易にし、着脱が容易なものとなっている。なお、内方突部は、内方突出状態と非突出状態とを切り替えることができるものとし、脚体の挿脱時には非突出状態とし、取り付け状態においては内方突出状態とすることにより離脱を防止するものとすることができる。
【００３３】
また、スリット部３０の水平方向間隙が、小径外周部２４及び大径外周部２２の一方又は両方の弾性的な変形により拡大して小寸法内部１４および／または大寸法内部１２の内径が拡大し得る。そのため、ゴルフティーＴの脚部Ｔ１および／または水平方向拡大部Ｔ２の外径が、非変形時の小寸法内部１４および／または大寸法内部１２の内径に比し大きい場合でも、それに応じて内径が拡大した小寸法内部１４および／または大寸法内部１２に脚部Ｔ１の上部および／または水平方向拡大部Ｔ２が保持され得る。
【図面の簡単な説明】
【００３４】
【図１】正面図である。
【図２】平面図である。
【図３】右側面図である。
【図４】底面図である。
【図５】図１におけるＶ−Ｖ端面図である。
【図６】図２におけるVI−VI端面図である。
【図７】図１におけるVII−VII端面図である。
【符号の説明】
【００３５】
１０      ボール支持部
１０ａ    支持突起
１２      大寸法内部
１２ａ    挿入開口
１４      小寸法内部
１４ａ    脚部突出開口
２２      大径外周部
２４      小径外周部
２６      内方突部
２８      切込部
３０      スリット部
３２      透孔
Ｓ        ゴルフボール支持体
Ｔ        ゴルフティー
Ｔ１      脚部
Ｔ２      水平方向拡大部
【図１】
0003692360.tif 000002
【図２】
0003692360.tif 000003
【図３】
0003692360.tif 000004
【図４】
0003692360.tif 000005
【図５】
0003692360.tif 000006
【図６】
0003692360.tif 000007
【図７】
0003692360.tif 000008